(57)【要約】【課題】顧客の求めるサービス又は商品を提供する各業者を競わせて、本当に納得できるものを購入できるようにすること。【解決手段】ネットワークを介して、各顧客の端末と、各業者の端末とからアクセスされるサーバが、業者の端末にて、業者に、業者の提供するサービス又は商品の内容及び条件と、業者の宣伝とを登録させ、顧客の端末にて、顧客に、顧客の個人情報を登録させ、顧客の端末にて、顧客に、顧客の求める内容及び条件でサービス又は商品を検索させて、業者を絞り込ませ、顧客に絞り込まれた各業者の端末に、顧客の個人情報と、顧客の求めるサービス又は商品の内容及び条件とを送信し、顧客に絞り込まれた各業者の端末から、顧客に対するサービス又は商品の内容及び条件等の情報を含む見積もりを受信し、顧客の端末にて、顧客に、顧客が絞り込んだ業者からの見積もりに基づいて業者を選ばせ、選ばれた業者と契約させる。【選択図】なし【特許請求の範囲】
【請求項１】
ネットワークを介して、各顧客の端末と、各業者の端末とからアクセスされるサーバであって、
業者の端末にて、この業者に、この業者の提供するサービス又は商品の内容及び条件と、この業者の宣伝とを登録させる機能と、
顧客の端末にて、この顧客に、この顧客の個人情報を登録させる機能と、
顧客の端末にて、この顧客に、この顧客の求める内容及び条件でサービス又は商品を検索させて、業者を絞り込ませる機能と、
顧客に絞り込まれた各業者の端末に、この顧客の個人情報と、この顧客の求めるサービス又は商品の内容及び条件とを送信する機能と、
顧客に絞り込まれた各業者の端末から、この顧客に対するサービス又は商品の内容及び条件等の情報を含む見積もりを受信する機能と、
顧客の端末にて、この顧客に、この顧客が絞り込んだ業者からの見積もりに基づいて業者を選ばせ、選ばれた業者と契約させる機能と、
を有することを特徴とする合い見積もりサーバ。
【請求項２】
ネットワークを介して、各顧客の端末と、各業者の端末とからアクセスされるサーバが実行する方法であって、
業者の端末にて、この業者に、この業者の提供するサービス又は商品の内容及び条件と、この業者の宣伝とを登録させる工程と、
顧客の端末にて、この顧客に、この顧客の個人情報を登録させる工程と、
顧客の端末にて、この顧客に、この顧客の求める内容及び条件でサービス又は商品を検索させて、業者を絞り込ませる工程と、
顧客に絞り込まれた各業者の端末に、この顧客の個人情報と、この顧客の求めるサービス又は商品の内容及び条件とを送信する工程と、
顧客に絞り込まれた各業者の端末から、この顧客に対するサービス又は商品の内容及び条件等の情報を含む見積もりを受信する工程と、
顧客の端末にて、この顧客に、この顧客が絞り込んだ業者からの見積もりに基づいて業者を選ばせ、選ばれた業者と契約させる工程と、
を含むことを特徴とする合い見積もり方法。
【請求項３】
ネットワークを介して、各顧客の端末と、各業者の端末とからアクセスされるサーバに、
業者の端末にて、この業者に、この業者の提供するサービス又は商品の内容及び条件と、この業者の宣伝とを登録させるステップと、
顧客の端末にて、この顧客に、この顧客の個人情報を登録させるステップと、
顧客の端末にて、この顧客に、この顧客の求める内容及び条件でサービス又は商品を検索させて、業者を絞り込ませるステップと、
顧客に絞り込まれた各業者の端末に、この顧客の個人情報と、この顧客の求めるサービス又は商品の内容及び条件とを送信するステップと、
顧客に絞り込まれた各業者の端末から、この顧客に対するサービス又は商品の内容及び条件等の情報を含む見積もりを受信するステップと、
顧客の端末にて、この顧客に、この顧客が絞り込んだ業者からの見積もりに基づいて業者を選ばせ、選ばれた業者と契約させるステップと、
を実行させることを特徴とする合い見積もりプログラム。
【請求項４】
請求項３に記載の合い見積もりプログラムを記録した記録媒体。
【発明の詳細な説明】
【０００１】
【発明の属する技術分野】
本発明は、合い見積もりサーバ、方法、プログラム、及び記録媒体に関する。
【０００２】
【従来の技術】
従来から、各サービス業者の提供する各サービスの絞り込み検索や予約を行うことのできるサイトが、ネット上に存在する。
【０００３】
【発明が解決しようとする課題】
しかしながら、一般に、本当に自分の納得するサービスを提供する業者に出会うためには、多くのサイトを、１つずつアクセスして、サービスの内容や条件などを閲覧する必要がある。また、顧客は、サービスの内容や条件或いは価格等について、各サービス業者を競わせることができない。
【０００４】
本発明は係る現状に鑑みてなされたもので、サービス業者が提供するサービスに限らず、より一般に、顧客の求めるサービス又は商品を提供する各業者を競わせて、本当に納得できるものを購入できるようにすることを課題とする。
【０００５】
【課題を解決するための手段】
本発明において上記の課題を達成するために、まず請求項１の発明では、ネットワークを介して、各顧客の端末と、各業者の端末とからアクセスされるサーバであって、
業者の端末にて、この業者に、この業者の提供するサービス又は商品の内容及び条件と、この業者の宣伝とを登録させる機能と、
顧客の端末にて、この顧客に、この顧客の個人情報を登録させる機能と、
顧客の端末にて、この顧客に、この顧客の求める内容及び条件でサービス又は商品を検索させて、業者を絞り込ませる機能と、
顧客に絞り込まれた各業者の端末に、この顧客の個人情報と、この顧客の求めるサービス又は商品の内容及び条件とを送信する機能と、
顧客に絞り込まれた各業者の端末から、この顧客に対するサービス又は商品の内容及び条件等の情報を含む見積もりを受信する機能と、
顧客の端末にて、この顧客に、この顧客が絞り込んだ業者からの見積もりに基づいて業者を選ばせ、選ばれた業者と契約させる機能と、
を有することを特徴とする合い見積もりサーバとしたものである。
【０００６】
また請求項２の発明では、ネットワークを介して、各顧客の端末と、各業者の端末とからアクセスされるサーバが実行する方法であって、
業者の端末にて、この業者に、この業者の提供するサービス又は商品の内容及び条件と、この業者の宣伝とを登録させる工程と、
顧客の端末にて、この顧客に、この顧客の個人情報を登録させる工程と、
顧客の端末にて、この顧客に、この顧客の求める内容及び条件でサービス又は商品を検索させて、業者を絞り込ませる工程と、
顧客に絞り込まれた各業者の端末に、この顧客の個人情報と、この顧客の求めるサービス又は商品の内容及び条件とを送信する工程と、
顧客に絞り込まれた各業者の端末から、この顧客に対するサービス又は商品の内容及び条件等の情報を含む見積もりを受信する工程と、
顧客の端末にて、この顧客に、この顧客が絞り込んだ業者からの見積もりに基づいて業者を選ばせ、選ばれた業者と契約させる工程と、
を含むことを特徴とする合い見積もり方法としたものである。
【０００７】
また請求項３の発明では、ネットワークを介して、各顧客の端末と、各業者の端末とからアクセスされるサーバに、
業者の端末にて、この業者に、この業者の提供するサービス又は商品の内容及び条件と、この業者の宣伝とを登録させるステップと、
顧客の端末にて、この顧客に、この顧客の個人情報を登録させるステップと、
顧客の端末にて、この顧客に、この顧客の求める内容及び条件でサービス又は商品を検索させて、業者を絞り込ませるステップと、
顧客に絞り込まれた各業者の端末に、この顧客の個人情報と、この顧客の求めるサービス又は商品の内容及び条件とを送信するステップと、
顧客に絞り込まれた各業者の端末から、この顧客に対するサービス又は商品の内容及び条件等の情報を含む見積もりを受信するステップと、
顧客の端末にて、この顧客に、この顧客が絞り込んだ業者からの見積もりに基づいて業者を選ばせ、選ばれた業者と契約させるステップと、
を実行させることを特徴とする合い見積もりプログラムとしたものである。
【０００８】
また請求項４の発明では、請求項３に記載の合い見積もりプログラムを記録した記録媒体としたものである。
としたものである。
【０００９】
【発明の実施の形態】
以下に、本発明の一実施形態を説明する。
【００１０】
１．構成
本実施形態では、図１に示すように、各顧客の端末と、各業者の端末と、合い見積もりサーバとがネットワークに接続されているシステムで、各顧客の求めるサービス又は商品を提供する業者との契約が結ばれる。
【００１１】
ネットワークは、各顧客の端末と合い見積もりサーバとの間でデータ通信が可能であり、各業者の端末と合い見積もりサーバとの間でデータ通信が可能であれば、その種類や形態に特に制限は無く、例えば、インターネットや専用回線でも良く、また、途中で光通信や無線通信が行なわれるものであっても良い。
【００１２】
端末は、パソコンなどのコンピュータ、或いは、携帯電話機などの携帯端末である。
【００１３】
合い見積もりサーバは、ネットワークを介して、各顧客の端末と、各業者の端末とからアクセスされるコンピュータシステムであって、以下の（１）〜（６）の機能を有する。
（１）業者の端末にて、この業者に、この業者の提供するサービス又は商品の内容及び条件と、この業者の宣伝とを登録させる機能。
（２）顧客の端末にて、この顧客に、この顧客の個人情報を登録させる機能。
（３）顧客の端末にて、この顧客に、この顧客の求める内容及び条件でサービス又は商品を検索させて、業者を絞り込ませる機能。
（４）顧客に絞り込まれた各業者の端末に、この顧客の個人情報と、この顧客の求めるサービス又は商品の内容及び条件とを送信する機能。
（５）顧客に絞り込まれた各業者の端末から、この顧客に対するサービス又は商品の内容及び条件等の情報を含む見積もりを受信する機能。
（６）顧客の端末にて、この顧客に、この顧客が絞り込んだ業者からの見積もりに基づいて業者を選ばせ、選ばれた業者と契約させる機能。
【００１４】
尚、条件には、価格が含まれる。
【００１５】
また、サービス又は商品の内容及び条件、宣伝、見積もり等を、文字だけでなく画像でも表現しても良い。
【００１６】
２．処理
ここで、図１に示すシステムでなされる処理の例として、業者の提供するサービス又は商品の内容及び条件を登録することに係る処理例と、顧客の求めるサービス又は商品を提供する業者と契約することに係る処理例とを、順に説明する。
【００１７】
まず、業者の提供するサービス又は商品の内容及び条件を登録することに係る処理例を、以下のＳＴＥＰ１〜２に説明する。
【００１８】
ＳＴＥＰ１；
業者は、この業者の端末から、合い見積もりサーバにアクセスして、この業者の端末にて、この業者の提供するサービス又は商品の内容及び条件と、この業者の宣伝とを登録する。
【００１９】
ＳＴＥＰ２；
合い見積もりサーバは、登録された、この業者の提供するサービス又は商品の内容及び条件と、この業者の宣伝とを保管する。
【００２０】
次に、顧客の求めるサービス又は商品を提供する業者と契約することに係る処理例を、以下のＳＴＥＰ１〜８に説明する。
【００２１】
ＳＴＥＰ１；
顧客は、この顧客の端末から、合い見積もりサーバにアクセスして、この顧客の個人情報を登録する。
【００２２】
ＳＴＥＰ２；
合い見積もりサーバは、登録された、この顧客の個人情報を保管する。
【００２３】
ＳＴＥＰ３；
顧客は、この顧客の端末にて、この顧客の求める内容及び条件で、サービス又は商品を検索し、業者を絞り込む。
【００２４】
ＳＴＥＰ４；
合い見積もりサーバは、顧客に絞り込まれた各業者の端末に、この顧客の個人情報と、この顧客の求めるサービス又は商品の内容及び条件とを送信する。
【００２５】
ＳＴＥＰ５；
顧客に絞り込まれた各業者は、各業者の端末にて、この顧客の個人情報と、この顧客の求めるサービス又は商品の内容及び条件とを受信し、この顧客の個人情報と、この顧客の求めるサービス又は商品の内容及び条件とに基づき、各業者における最新の事情を考慮して、この顧客に対するサービス又は商品の内容及び条件等の情報を含む見積もりを、合い見積もりサーバに送信する。
【００２６】
ＳＴＥＰ６；
合い見積もりサーバは、顧客に絞り込まれた各業者の端末から、この顧客に対するサービス又は商品の内容及び条件等の情報を含む見積もりを受信する。
【００２７】
ＳＴＥＰ７；
顧客は、この顧客の端末から、合い見積もりサーバにアクセスして、この顧客が絞り込んだ各業者からの見積もりを比較検討して、最も魅力的な見積もりを送って来た業者を選んで、この業者と契約する。
【００２８】
ＳＴＥＰ８；
合い見積もりサーバは、顧客が契約した業者の端末に、この顧客がこの業者を相手として契約を締結したとの通知を送信する。
【００２９】
【発明の効果】
本発明は、顧客の求めるサービス又は商品を提供する各業者を競わせて、本当に納得できるものを購入できるようにするという効果がある。以下に、本発明の効果の具体例を２つ挙げる。
【００３０】
例えば、繁華街では居酒屋、カラオケなどのチラシを配る人が多いが、２次会の場所などを決める際、一人と話してしまうと他の店の情報が取れず、損をすることも考えられるが、本発明で、５人、新宿、洋風居酒屋、２，５００円以下、飲み放題などという条件で検索すれば、空席があり、なおかつ条件に見合った各店がさらに良い条件を提示してくれ、最も良い条件の店を選択することができる。
【００３１】
また例えば、主婦が食品、生活雑貨などを買う際に、買いたい食品、地域などで絞込み、タイムセールス情報などを知ることができる。
【図面の簡単な説明】
【図１】本実施形態に係るシステム構成例を示す図。
【図１】
2004310485.tif 000002